(57)【特許請求の範囲】
【請求項１】
符号分割多重接続通信システムにおける基地局が逆方向共通チャンネルを専用化チャンネルとして指定する方法において、
応答メッセージを要求するメッセージの発生のとき、前記応答メッセージを受信するための逆方向共通チャンネルを専用化チャンネルとして指定するステップと、
前記逆方向共通チャンネルの専用化表示及び動作時間を含む専用化チャンネル指示パラメータを生成するステップと、
前記専用チャンネル指示パラメータと共に前記生成されたメッセージを移動局へ伝送するステップと、
前記動作時間で専用化された逆方向共通チャンネルを通じて前記移動局から前記応答メッセージを受信するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項２】
前記移動局は、該当移動局のＥＳＮ(Electronic Serial Number)マスクを利用してチャンネル専用化のための拡散符号を生成する請求項１に記載の方法。
【請求項３】
順方向共通チャンネルを通じて伝送されたメッセージは、応答メッセージを要求する次のようなメッセージ、すなわち、状態要求メッセージ(Status Request Message)、ＴＭＳＩ割当てメッセージ(TMSI Assignment Message)、ジェネラルページメッセージ(General Page Message)、ＳＳＤアップデートメッセージ(SSD Update Message)、認証チャレンジメッセージ(Authentication Challenge Message)、基地局チャレンジコンファメーションオーダー(Base Station Challenge Confirmation Order)、イクステンデッドリリースメッセージ(Extended Release Message)、サービスリダイレクションメッセージ(Service Redirection Message)、データバーストメッセージ(Data Burst Message)、サービスリリースメッセージ(Service Release Message)、及びオーダーメッセージのうちの１つである請求項１に記載の方法。
【請求項４】
符号分割多重接続通信システムにおける基地局が専用化モードから逆方向共通チャンネルを解除する方法において、
所定の逆方向共通チャンネルを専用化チャンネルとして予約するステップと、
前記逆方向共通チャンネルを通じて応答メッセージを要求するメッセージの生成のとき予約時間を設定するステップと、
逆方向共通チャンネルの専用化表示及び動作時間を含む専用化チャンネル指示パラメータを生成するステップと、
前記専用化チャンネル指示パラメータと共に前記生成されたメッセージを移動局へ伝送するステップと、
前記応答メッセージが前記予約時間の内に前記専用化された逆方向共通チャンネルを通じて受信されたか否かを検査し、前記予約時間の内に前記応答メッセージが受信されるか、または、前記予約時間が経過するときまで前記応答メッセージが受信されないと、前記専用化モードから前記逆方向共通チャンネルを解除するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを解除する方法。
【請求項５】
前記移動局は、該当移動局のＥＳＮ(Electronic Serial Number)マスクを利用してチャンネル専用化のための拡散符号を生成する請求項４に記載の方法。
【請求項６】
符号分割多重接続通信システムにおける移動局が逆方向共通チャンネルを専用化チャンネルとして指定する方法において、
順方向共通チャンネルへ伝送されるメッセージを受信するステップと、
前記受信された順方向共通チャンネルのメッセージを分析するステップと、
前記受信されたメッセージが逆方向共通チャンネルの専用化表示及び専用化のための動作時間を含む専用化チャンネル指示パラメータを有する場合、専用化モードに前記逆方向共通チャンネルを設定するステップと、
前記受信されたメッセージに対する応答メッセージを生成するステップと、
前記逆方向共通チャンネルに専用化チャンネル拡散符号を割り当て、前記逆方向共通チャンネルを専用化チャンネルとして指定するステップと、
前記動作時間で前記専用化された逆方向共通チャンネルを通じて前記応答メッセージを受信するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項７】
前記応答メッセージの伝送率は、前記共通電力制御チャンネルに従って制御され、前記応答メッセージは、前記設定されたデータレートで伝送される請求項６に記載の方法。
【請求項８】
前記拡散符号は、前記移動局のＥＳＮ(Electronic Serial Number)マスクを利用して生成される請求項７に記載の方法。
【請求項９】
符号分割多重接続通信システムにおける基地局と移動局との間の専用化チャンネルを指定する方法において、
共通チャンネル専用化表示、共通電力制御チャンネルのアドレス、伝送率、及び動作時間を含む専用化チャンネル指示パラメータを生成するステップと、
基地局が前記専用化チャンネル指示パラメータと共にメッセージを移動局へ伝送するステップと、
前記専用化チャンネル指示パラメータを有する前記メッセージを受信し、前記移動局が前記動作時間に前記伝送率で前記共通電力制御チャンネルによって設定された伝送電力を有する前記専用化チャンネル表示によって表示された専用化チャンネルを通じて前記受信されたメッセージに対する応答メッセージを前記基地局へ伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする基地局と移動局との間の専用化チャンネルを指定する方法。
【請求項１０】
符号分割多重接続通信システムにおける基地局が逆方向共通チャンネルを専用化する装置において、
専用化のための逆方向共通チャンネル専用化表示及び動作時間を含む専用化チャンネル指示パラメータを生成し、前記専用化チャンネル指示パラメータを有する順方向共通チャンネルメッセージを生成するメッセージ生成器と、
前記順方向共通チャンネルメッセージを移動局へ伝送する順方向共通チャンネル送信器と、
前記順方向共通チャンネルメッセージの伝送のとき予約され、予約時間の間専用化チャンネル拡散符号で拡散して専用化チャンネルとして指定される逆方向共通チャンネルを通じて前記順方向共通チャンネルメッセージに対する応答メッセージを受信する逆方向共通チャンネル受信器と
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する装置。
【請求項１１】
符号分割多重接続通信システムの移動局が逆方向共通チャンネルを専用化する装置において、
順方向共通チャンネルを通じてメッセージを受信する順方向共通チャンネル受信器と、
前記受信された順方向共通チャンネルメッセージを分析し、前記受信されたメッセージが専用化のための逆方向共通チャンネル専用化表示及び動作時間を含む専用化チャンネル指示パラメータを有する場合、前記逆方向共通チャンネルを専用化モードで設定し、前記受信されたメッセージに対する応答メッセージを生成するメッセージ分析器と、
前記専用化モードの時、前記逆方向共通チャンネルを専用化チャンネルとして指定し、前記動作時間で前記専用化された逆方向共通チャンネルを通じて前記応答メッセージを伝送する逆方向共通チャンネル送信器と
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する装置。
【請求項１２】
基地局が逆方向共通チャンネルを専用化する方法において、
前記基地局の信号階層から専用化モード要請に応答して、前記基地局の物理チャンネルで利用可能な逆方向共通チャンネルを専用化チャンネルとして予約するステップと、
前記信号階層が伝送データに前記専用化チャンネル表示及び前記専用化の動作時間を有する専用化チャンネル指示パラメータを含むことによりメッセージを形成するステップと、
前記形成されたメッセージを物理階層を通じて順方向共通チャンネルへ伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項１３】
移動局が逆方向共通チャンネルを専用化する方法において、
前記移動局の物理階層が専用化チャンネル表示及び専用化の動作時間を有する専用化チャンネル指示パラメータを含むメッセージを順方向共通チャンネルを通じて前記移動局の信号階層へ伝送するステップと、
前記信号階層が専用化表示情報を有する応答メッセージを生成するステップと、
前記信号階層が前記物理階層に前記共通チャンネル専用化のための拡散符号及び前記信号階層による動作時間を指定するように要求するステップと、
前記物理階層が前記専用化された動作時間で前記専用化拡散符号で前記応答メッセージを拡散するステップと、
前記物理階層が専用化された逆方向共通チャンネルを通じて前記応答メッセージを伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項１４】
基地局が逆方向共通チャンネルを専用化する方法において、
前記基地局の信号階層から専用化モード要請に応答して、前記基地局の物理チャンネルで利用可能な逆方向共通チャンネルを専用化チャンネルとして予約するステップと、
前記信号階層が伝送データと専用化チャンネル表示及び専用化の動作時間を含む専用化チャンネル指示パラメータとを提供するステップと、
前記基地局のリンクアクセス制御階層が前記伝送データ及び前記専用化チャンネル指示パラメータからメッセージを形成するステップと、
前記形成されたメッセージを物理階層を通じて順方向共通チャンネルへ伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項１５】
移動局が逆方向共通チャンネルを専用化する方法において、
前記移動局の物理階層が専用化チャンネル表示及び専用化の動作時間を有する専用化チャンネル指示パラメータを含むメッセージを順方向共通チャンネルを通じて前記移動局のリンクアクセス制御階層へ伝送するステップと、
前記リンクアクセス制御階層が前記受信されたメッセージに専用化表示情報を加えるステップと、
前記リンクアクセス制御階層が前記加えられた専用化表示情報を有する前記受信されたメッセージを前記移動局の信号階層に伝送するステップと、
前記信号階層が応答メッセージを生成するステップと、
前記信号階層が前記専用化表示情報を前記応答メッセージに加えるステップと、
前記信号階層が前記応答メッセージを前記リンクアクセス制御階層へ伝送するステップと、
前記リンクアクセス制御階層が、前記物理階層に共通チャンネル専用化のための拡散符号及び動作時間を指定するように要求するステップと、
前記物理階層が前記専用化された動作時間に前記専用化拡散符号で前記応答メッセージを拡散するステップと、
前記物理階層が専用化された逆方向共通チャンネルを通じて前記拡散された応答メッセージを伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項１６】
基地局が逆方向共通チャンネルを専用化する方法において、
前記基地局の信号階層から専用化モード要請に応答して、前記基地局の物理チャンネルで利用可能な逆方向共通チャンネルを専用化チャンネルとして予約するステップと、
前記信号階層が伝送データと専用化チャンネル表示及び専用化の動作時間を含む専用化チャンネル指示パラメータとを提供するステップと、
前記基地局の媒体アクセス制御(ＭＳＣ)階層が前記伝送データ及び前記専用化チャンネル指示パラメータからメッセージを形成するステップと、
前記形成されたメッセージを物理階層を通じて順方向共通チャンネルへ伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【請求項１７】
移動局が逆方向共通チャンネルを専用化する方法において、
前記移動局の物理階層が専用化チャンネル表示及び専用化の動作時間を有する専用化チャンネル指示パラメータを含むメッセージを順方向共通チャンネルを通じて前記移動局の媒介アクセス制御(ＭＳＣ)階層へ伝送するステップと、
前記媒体アクセス制御階層が前記受信されたメッセージに専用化表示情報を加えるステップと、
前記媒体アクセス制御階層が前記加えられた専用化表示情報を有する前記受信されたメッセージを前記移動局の信号階層に伝送するステップと、
前記信号階層が応答メッセージを生成するステップと、
前記信号階層が前記専用化表示情報を前記応答メッセージに加えるステップと、
前記信号階層が前記応答メッセージをリンクアクセス制御階層へ伝送するステップと、
前記媒体アクセス制御階層が、前記物理階層に共通チャンネル専用化のための拡散符号及び動作時間を指定するように要求するステップと、
前記物理階層が前記専用化された動作時間で前記専用化拡散符号で前記応答メッセージを拡散するステップと、
前記物理階層が専用化された逆方向共通チャンネルを通じて前記拡散された応答メッセージを伝送するステップと
からなり、
前記専用化チャンネル指示パラメータが前記逆方向共通チャンネルの送信電力を制御するための共通電力制御チャンネルのアドレス及び前記逆方向共通チャンネルのデータレートをさらに含む
ことを特徴とする逆方向共通チャンネルを専用化する方法。
【発明の詳細な説明】
【０００１】
【発明の属する技術分野】
本発明は、符号分割多重接続通信システムにおける逆方向共通チャンネル通信装置及び方法に関し、特に、特定の移動局との専用化通信のために逆方向共通チャンネルを指定する装置及び方法に関する。
【０００２】
【従来の技術】
音声サービスを主に提供する従来の符号分割多重接続（Ｃｏｄｅ Ｄｉｖｉｓｉｏｎ Ｍｕｌｔｉｐｌｅ Ａｃｃｅｓｓ：以下、“ＣＤＭＡ”と称する。）移動通信システムは、ＩＭＴ−２０００規格システムに発展してきた。ＩＭＴ−２０００システムは、音声のみならず、高品質の音声、動画像、及びインタネット検索などのサービスも可能である。
【０００３】
前記移動通信システムで遂行されるデータ通信は、専用チャンネル（ｄｅｄｉｃａｔｅｄ ｃｈａｎｎｅｌ）及び共通チャンネル（ｃｏｍｍｏｎ ｃｈａｎｎｅｌ）を通じて行われる。前記専用チャンネル及び共通チャンネルは、逆方向（ｒｅｖｅｒｓｅ ｌｉｎｋ）及び順方向（ｆｏｒｗａｒｄ ｌｉｎｋ）にすべて存在するようになる。ここで、前記共通チャンネルは、各共通チャンネルが複数の移動局に共通に使用されるべきチャンネルである。もしも、複数の移動局のうちの１つ以上が同時に共通チャンネルを通じて通信を試みると、衝突が発生して円滑な通信が遂行できない。このような共通チャンネルの問題点は、順方向より逆方向でさらに大きな問題点を有している。
【０００４】
しかし、前記専用チャンネルを通じてデータを伝送する場合、基地局と個々の移動局が独立的に割り当てられた専用チャンネルを通じて通信を遂行するので、チャンネル間の衝突が発生しない。従って、前記専用チャンネルを通じたメッセージ伝送成功確率は非常に高い。
【０００５】
前記共通チャンネルを通じたメッセージの伝送成功確率は低いので、移動局が基地局へのアクセスを共通チャンネルを通じて反復的に遂行するようになる。結局、資源の浪費及びチャンネル間の干渉が増加するようになる。
【０００６】
【発明が解決しようとする課題】
従って、本発明の目的は、ＣＤＭＡ通信システムにおいて、基地局と移動局とが共通チャンネルを通じて通信を遂行するとき、共通チャンネルの伝送性能が高められる装置及び方法を提供することにある。
【０００７】
さらに、ＣＤＭＡ通信システムにおいて、基地局と特定の移動局との一対一の通信のために共通チャンネルを専用化チャンネルとして指定できる装置及び方法を提供することにある。
【０００８】
さらに、ＣＤＭＡ通信システムにおいて、基地局が共通チャンネルの専用化のために必要した拡散符号情報と共通電力制御チャンネルに関する情報とを含む制御メッセージを移動局へ伝送し、前記移動局が前記制御メッセージに従って前記専用化拡散符号で使用者データを拡散することにより、基地局と移動局との一対一通信リンクとして逆方向共通チャンネルを専用化チャンネルとして指定できる装置及び方法を提供することにある。
【０００９】
さらに、ＣＤＭＡ通信システムにおいて、基地局と特定の移動局との一対一通信のために逆方向共通チャンネルを専用化チャンネルとして指定するために、基地局の信号階層でのメッセージ構成及び基地局階層間のインターフェースを行う方法を提供することにある。
【００１０】
さらに、ＣＤＭＡ通信システムにおいて、専用化モードから逆方向共通チャンネルを解除するために、基地局の信号階層でのメッセージ構成及び基地局階層間のインターフェースを行う方法を提供することにある。
【００１１】
さらに、ＣＤＭＡ通信システムにおいて、基地局と移動局との間の一対一通信のために逆方向共通チャンネルを専用化チャンネルとして指定し、前記専用化モードから前記逆方向共通チャンネルを解除するために、基地局の信号階層でのメッセージ構成及び基地局階層間のインターフェースを行う方法を提供することにある。
【００１２】
さらに、ＣＤＭＡ通信システムにおいて、基地局と移動局との間の一対一通信のために逆方向共通チャンネルを専用化チャンネルとして指定するために、基地局のＬＡＣ（Ｌｉｎｋ Ａｃｃｅｓｓ Ｃｏｎｔｒｏｌ）階層でのメッセージの構成及び基地局階層間のインターフェースを行う方法を提供することにある。
【００１３】
さらに、ＣＤＭＡ通信システムにおいて、専用化モードから逆方向共通チャンネルを解除するために、基地局のＬＡＣ階層でのメッセージ構成及び基地局階層間のインターフェースを行う方法を提供することにある。
【００１４】
さらに、ＣＤＭＡ通信システムにおいて、基地局と移動局との間の一対一通信のために逆方向共通チャンネルを専用化チャンネルとして指定し、前記専用化モードから前記逆方向共通チャンネルを解除するために、基地局のＬＡＣ階層でのメッセージの構成及び基地局階層間のインターフェースを行う方法を提供することにある。
【００１５】
さらに、ＣＤＭＡ通信システムにおいて、基地局と移動局との一対一通信のために逆方向共通チャンネルを専用化チャンネルとして指定するために、基地局のＭＡＣ（Ｍｅｄｉｕｍ Ａｃｃｅｓｓ Ｃｏｎｔｒｏｌ）階層でのメッセージの構成及び基地局階層間のインターフェースを行う方法を提供することにある。
【００１６】
さらに、ＣＤＭＡ通信システムにおいて、専用化モードから逆方向共通チャンネルを解除するために、基地局のＭＡＣ階層でのメッセージの構成及び基地局階層間のインターフェースを行う方法を提供することにある。
【００１７】
さらに、ＣＤＭＡ通信システムにおいて、基地局と移動局との間の一対一通信のために逆方向共通チャンネルを専用化チャンネルとして指定し、前記専用化モードから前記逆方向共通チャンネルを解除するために、基地局のＭＡＣ階層でのメッセージの構成及び基地局階層間のインターフェースを行う方法を提供することにある。
【００１８】
【課題を解決するための手段】
前記のような目的を達成するために、本発明の実施形態に従うＣＤＭＡ通信システムにおける基地局が逆方向共通チャンネルを専用化チャンネルとして指定する方法を提供する。前記基地局は、応答メッセージを要求するメッセージが発生のとき、応答メッセージを受信するための逆方向共通チャンネルを専用化チャンネルとして指定し、前記逆方向共通チャンネル専用化表示及び動作時間を含む専用化チャンネル指示パラメータを生成した後、前記生成されたメッセージを前記専用化チャンネル指示パラメータと共に移動局へ伝送し、前記動作時間で前記 専用化された逆方向共通チャンネルを通じて前記移動局から応答メッセージを受信する。
【００１９】
また、本発明の他の実施形態に従って、ＣＤＭＡ通信システムにおける基地局が専用化モードから逆方向共通チャンネルを解除する方法を提供する。前記基地局は、所定の逆方向共通チャンネルを専用化チャンネルとして予約し、前記逆方向共通チャンネルを通じて応答メッセージを要求するメッセージが発生した場合予約時間を設定する。その後、前記基地局は、逆方向共通チャンネル専用化表示及び動作時間を含む専用化チャンネル指示パラメータを生成し、前記生成されたメッセージを前記専用化チャンネル指示パラメータと共に移動局へ伝送する。そうすると、前記基地局は、応答メッセージが前記予約時間内に前記専用化された逆方向共通チャンネルを通じて受信されたか否かを検査する。そして、前記応答メッセージが前記予約時間内に受信されたか、または前記予約時間が経過した後にも前記応答メッセージが受信されなかった場合、前記専用化モードから前記逆方向共通チャンネルを解除する。
【００２０】
さらに、本発明のまた他の実施形態に従って、ＣＤＭＡ通信システムにおける移動局が逆方向共通チャンネルを専用化チャンネルとして指定する方法を提供する。前記移動局は、順方向共通チャンネルを通じてメッセージを受信する。前記移動局は、前記受信された順方向共通チャンネルメッセージを分析し、前記受信されたメッセージが逆方向共通チャンネル専用化表示及び専用化のための動作時間を含む専用化チャンネル指示パラメータを有する場合、前記逆方向共通チャンネルを専用化モードに設定する。そして、前記受信されたメッセージに対する応答メッセージを生成する。その後、前記移動局は、前記逆方向共通チャンネルに専用化チャンネル拡散符号を割り当てることにより、前記逆方向共通チャンネルを専用化チャンネルとして指定し、前記動作時間で前記専用化された逆方向共通チャンネルを通じて前記応答メッセージを伝送する。
【００２１】
【発明の実施の形態】
以下、本発明に従う好適な実施形態を添付図面を参照しつつ詳細に説明する。下記説明において、関連した公知機能または構成に対する具体的な説明は本発明の要旨を不明確にしてしまうので、その詳細な説明については省略する。
【００２２】
本発明は、ＣＤＭＡ通信システムにおける基地局と移動局との間の一対一通信のために逆方向共通チャンネルを専用化チャンネルとして指定する装置及び方法を提供し、基地局の階層３から生成されたメッセージの構成、階層相互間のインターフェース、受信されたメッセージに応答して前記移動局から生成されたメッセージの構成、及び前記基地局と移動局との通信方法などに関する内容を含む。逆方向共通チャンネルを専用化チャンネルとして指定することは、本発明の好適な実施形態で説明された信号階層でのみならずＬＡＣ（リンクアクセス制御）階層でも実現される。メッセージフィールドが信号階層ではなくＬＡＣ階層によって形成される場合、これら階層は異なる方法にてインターフェースされる。
【００２３】
本発明の好適な実施形態では、逆方向共通チャンネルを専用化チャンネルとして指定する装置及び方法、そして、プロトコル階層間のインターフェース方法を提供する。このために、基地局は、順方向共通チャンネルを通じて制御メッセージを移動局へ伝送する。前記制御メッセージは、共通チャンネル専用化のための拡散符号を示すロングコード情報及び共通電力制御チャンネル情報を含む。前記移動局は、応答メッセージで前記制御メッセージに応答する。このような逆方向共通チャンネルの専用化状態は、共通チャンネルへのアクセスのために、前記移動局が他の移動局と競争すべき制約を取り除く。本発明の好適な実施形態において、逆方向共通チャンネルは、逆方向アクセスチャンネル（Ｒｅｖｅｒｓｅ Ａｃｃｅｓｓ Ｃｈａｎｎｅｌ；Ｒ−ＡＣＨ）、 逆方向共通制御チャンネル（Ｒｅｖｅｒｓｅ Ｃｏｍｍｏｎ Ｃｏｎｔｒｏｌ Ｃｈａｎｎｅｌ；Ｒ−ＣＣＣＨ）、及び逆方向エンハンストアクセスチャンネル（Ｒｅｖｅｒｓｅ Ｅｎｈａｎｃｅｄ Ａｃｃｅｓｓ Ｃｈａｎｎｅｌ；Ｒ−ＥＡＣＨ）を含む。
【００２４】
前記逆方向共通チャンネルを専用化して使用すると、専用化された逆方向共通チャンネルを通じてメッセージを伝送するとき速い応答時間を保証する同時に、逆方向共通チャンネルの伝送成功確率を増加させ、また、メッセージの再伝送によって発生するチャンネル間の干渉などが減少させられる。さらに、移動局のＬＡＣ階層によって付加されたフィールドの数を減少させ、これによって、メッセージ伝送の間発生する誤りが減少させられる。
【００２５】
以下、本発明の好適な実施形態を添付図面を参照して詳細に説明する。
【００２６】
図１は、本発明の好適な実施形態に従って、基地局が移動局に共通チャンネルの専用化を要求した場合、共通チャンネルの専用化手順で移動局と基地局との間の信号フローを示すもので、前記移動局は、前記基地局から共通チャンネルを専用化するためのパラメータを含むメッセージを受信する。前記パラメータは、専用化チャンネル指示包含フィールド（ＤＥＳＩＮＧＮＡＴＥＤ＿ＭＯＤＥ＿ＩＮＣＬ）、専用化チャンネル指示者（ＤＥＳＩＧＮＡＴＥＤ＿ＭＯＤＥ）、共通電力制御チャンネルのアドレス（ＤＡＭ＿ＡＤＤＲＥＳＳ：Ｄｅｓｉｇｎａｔｅｄ Ａｃｃｅｓｓ Ｍｏｄｅ＿Ａｄｄｒｅｓｓ）、データレート（ＲＡＴＥ＿ＷＯＲＤ）、及び動作時間（ＡＣＴＩＯＮ＿ＴＩＭＥ）などを含む。このとき、前記動作時間は、メッセージに付加されるかまたはシステム内で任意に設定される。前記動作時間が伝送のためにメッセージに付加される場合、前記メッセージは、共通チャンネル専用化メッセージまたはアクセスパラメータメッセージになることができる。
【００２７】
従って、前記基地局が、特定の移動局との一対一通信のために、共通チャンネルを専用化チャンネルとして指定する場合、移動局のＬ３、ＬＡＣ、またはＭＡＣ階層によって構成された前記パラメータを含むメッセージフィールドを有するメッセージを順方向共通チャンネルを通じて前記移動局へ伝送する。そうすると、前記移動局は、前記メッセージを分析する。前記移動局は、前記メッセージが前記専用化チャンネル指示パラメータを含んでいることを確認すると、ステップ１０２で、前記パラメータに従って逆方向共通チャンネルを専用化チャンネルとして指定し、前記専用化された逆方向共通チャンネルを通じて前記基地局へ応答メッセージを伝送する。このとき、前記応答メッセージは、前記受信されたメッセージに対する応答メッセージまたは使用者データトラフィックメッセージになることができる。このとき、使用者トラフィックデータは、共通チャンネルを専用化した後伝送されるので、物理階層で提供するフレーム長さより長いメッセージのセグメンテーション（ｓｅｇｍｅｎｔａｔｉｏｎ）を行って伝送できる。前記逆方向共通チャンネルを専用化するために、前記移動局は、ＥＳＮ（Ｅｌｅｃｔｒｉｃａｌ Ｓｅｒｉａｌ Ｎｕｍｂｅｒ）マスク、固有ロングコードマスク（Ｐｒｉｖａｔｅ Ｌｏｎｇ Ｃｏｄｅ ｍａｓｋ）、または基地局がスケジューリングを遂行して特定の移動局に割り当てられた特定のＲ−ＣＣＣＨロングコードマスクが使用できる。前記スケジューリングされたＲ−ＣＣＣＨマスクを利用する場合、前記移動局は、逆方向共通チャンネルの専用化のために参照される共通電力制御チャンネルのアドレスを利用してマスクを構成する。
【００２８】
以下、前記基地局の信号階層Ｌ３、ＬＡＣ、またはＭＡＣで逆方向共通チャンネル専用化方法に対して説明する。
【００２９】
表１は、前記基地局が順方向共通チャンネルを通じて前記移動局へ伝送するメッセージの例である。このようなメッセージの受信のとき、前記移動局は、逆方向共通チャンネルを通じて前記メッセージに対する応答メッセージを前記基地局に伝送すべきである。本発明の好適な実施形態において、前記基地局は、下記表１に示したメッセージに前記専用化チャンネル指示パラメータを含ませ、前記移動局は、前記専用化チャンネル指示パラメータによって前記逆方向共通チャンネルを専用化した後、該当する応答メッセージを伝送する場合を例に挙げて説明する。
【表１】
0003579029.tif 000002
【００３０】
前記表１において、前記基地局は、順方向共通信号チャンネル（ｆｏｒｗａｒｄ Ｃｏｍｍｏｎ ｓｉｇｎａｌｉｎｇ ｃｈａｎｎｅｌ；ｆ−ｃｓｃｈ）を通じて前記移動局へ状態要求メッセージ（Ｓｔａｔｕｓ Ｒｅｑｕｅｓｔ Ｍｅｓｓａｇｅ）を伝送すると、前記移動局は、逆方向共通信号チャンネル（Ｒｅｖｅｒｓｅ Ｃｏｍｍｏｎ ｓｉｇｎａｌｉｎｇ Ｃｈａｎｎｅｌ；ｒ−ｃｓｃｈ）を通じて前記基地局へ状態応答メッセージを伝送する。従来の移動通信システムにおいて、前記移動局が前記表１に示したメッセージを逆方向共通チャンネルを通じて伝送する場合、メッセージの伝送成功確率が低くなり、従って、再伝送されなければならない。このような再伝送は、他の移動局との干渉を発生させる。しかし、本発明の好適な実施形態に従う逆方向共通チャンネルを専用化チャンネルとして指定し、前記専用化された逆方向共通チャンネルを通じて前記メッセージを伝送すると、伝送性能が向上させられる。
【００３１】
本発明の好適な実施形態に従って、逆方向共通チャンネルの専用化のために、前記基地局のＬ３、ＬＡＣ、またはＭＡＣ階層は、下記表２に示した専用化されたチャンネル指示パラメータを表１の順方向チャンネルメッセージに付加する。
【表２】
0003579029.tif 000003
【００３２】
表２に示されていないが、前記動作時間は、前記表１に示したメッセージによって付加されるか、またはシステム内で任意に設定される。もしも、前記動作時間がメッセージに付加される場合は、基地局の信号階層またはＬＡＣ階層で付加されることができる。しかし、システム内で前記動作時間を設定する場合、前記システムは、基地局から移動局へ共通チャンネルを通じてメッセージを伝送するとき必要とする時間、すなわち、伝播遅延時間及びメッセージ処理時間など考慮して移動局からメッセージが伝送されるときの時間を推定する。前記動作時間は、共通チャンネル専用化要求メッセージまたはアクセスパラメータメッセージに付加される。前記動作時間がアクセスパラメータメッセージに付加される場合、前記移動局は、システムをアクセスするときそれを受信して貯蔵する。前記移動局が共通チャンネル専用化コマンドを受信するとき、前記貯蔵された動作時間に基として前記基地局へメッセージを伝送する。
【００３３】
前記専用化チャンネル指示パラメータフィールドは、前記表２に示した４種類のパラメータ（または動作時間を付け加える。）を含む。表２において、ＤＥＳＩＧＮＡＴＥＤ＿ＭＯＤＥは、前記移動局が共通チャンネルを専用化せよとの指示を認識するための専用化チャンネル指示包含フィールドであり、ＤＡＭ＿ＡＤＤＲＥＳＳフィールドは、共通電力制御チャンネルのアドレス、すなわち、共通チャンネルを専用化した後、伝送されるメッセージの伝送電力を制御するために参照される共通電力制御チャンネルのインデックスを示す。また、ＲＡＴＥ＿ＷＯＲＤフィールドは、前記専用化された逆方向共通チャンネルの伝送率を示す。また、前記ＬＡＣ階層は、前記移動局が表１に示したようなメッセージを受信した後、前記移動局に応答メッセージを伝送する時間を通知するためのＡｃｔｉｏｎ＿Ｔｉｍｅフィールドを追加する。前記基地局は、特定のメッセージを伝送するか、または移動局が前記専用化された共通チャンネルを通じて応答メッセージを伝送するように要求する場合、前記２つのフィールドを追加する。
【００３４】
前記共通チャンネルを専用化チャンネルとして指定するために、該当する移動局は、逆方向共通チャンネルを拡散するとき所定のロングコードを使用すべきである。そして、前記基地局は、拡散符号で拡散された逆方向チャンネル信号を受信できるようにチャンネルエレメントを予約しなければならない。
【００３５】
図２乃至図７は、本発明の第１実施形態に従う基地局のＬ３及び移動局のＬ３階層で逆方向共通チャンネルを専用化するための手順を示す。図８Ａ及び図１０は、本発明の第２実施形態に従う基地局のＬＡＣ階層及び移動局のＬＡＣ階層で逆方向共通チャンネルを専用化するための手順を示す。そして、図１１、図１２、及び図１３は、本発明の第３実施形態に従う基地局のＭＡＣ階層及び移動局のＭＡＣ階層で逆方向共通チャンネルを専用化するための手順を示す。
【００３６】
図２は、本発明の第１実施形態に従って、基地局の信号階層で逆方向共通チャンネルを専用化する情報を追加する手順での信号フローである。
【００３７】
図２を参照すると、前述したように、ステップ２０１で、前記基地局の階層３（Ｌ３）は、共通チャンネルを専用化する前チャンネルエレメントの予約を要求する。すなわち、前記基地局が前記移動局から応答メッセージを要求するメッセージを伝送すべきである場合、前記基地局のＬ３階層は、前記逆方向共通チャンネルを専用化するための専用化モードの設定を要求する。また、前記基地局が応答を要求するメッセージのうち専用化を許容するメッセージを伝送すべき場合にも、前記逆方向共通チャンネルを専用化するために専用化モードが設定できる。ここで、表１に示したｆ−ｃｓｃｈメッセージは、前記移動局からの応答メッセージを要求する。応答メッセージが専用化された逆方向共通チャンネルを通じて受信されるべきである場合、前記基地局のＬ３階層は、チャンネル資源の予約を要求するモード信号（Ｄｅｓｉｇｎａｔｅｄ＿Ｍｏｄｅ）を出力する。
【００３８】
前記基地局のＬ３階層からのチャンネルエレメント予約要求を受信すると、ステップ２０２で、前記基地局のリソースコントローラ（Ｒｅｓｏｕｒｃｅ ｃｏｎｔｒｏｌｌｅｒ；以下、ＲＣと略称する。）は、予約動作時間（ＣＥ＿Ｒｅｓｅｒｖｅ． Ｒｅｑｕｅｓｔ ｗｉｔｈ ａｃｔｉｏｎ ｔｉｍｅ）を含むチャンネルエレメント予約要求信号を前記基地局の物理階層（ＰＨＹ）へ伝送する。このとき、前記動作時間は、メッセージによって移動局へ伝送されることもでき、システム内で任意に設定されることもできる。
【００３９】
動作時間は、前記移動局が前記基地局の順方向共通チャンネルメッセージを受信した後、前記基地局が前記移動局から応答メッセージを受信するときまで所要される時間を考慮して適切な値に設定されるようにし、前記基地局のＬＡＣ階層で付加される。前記ＬＡＣ階層は、前記動作時間を設定するためにＵＳＥ＿ＴＩＭＥ１ビットとＡＣＴＩＯＮ＿ＴＩＭＥ６ビットを付加する。また、前記基地局が所定の時間内に応答メッセージを受信できない場合にも、チャンネルエレメントの継続的な占有及び資源の浪費を防止するために、チャンネルエレメントの予約状態の時間（Ｔ＿ｄｅｓｉｇｎａｔｅｄ）が設定されなければならない。前記予約時間は、前記順方向共通チャンネルを通じたメッセージの伝送に必要な時間、移動局での前記順方向共通チャンネルメッセージの処理に必要な時間、及びそれ以外の関連した動作を考慮して設定されることができる。
【００４０】
図２のステップ２０３で設定された予約時間は、前記移動局が前記基地局から伝送された前記順方向共通チャンネルメッセージが認識できない場合に必要である。従って、前記動作時間にチャンネルエレメントの動作が始まり、前記予約タイマー（Ｔ−ｄｅｓｉｇｎａｔｅｄ）に設定された時間の間チャンネル予約状態が持続される。前記予約タイマーが終了するときまで前記基地局が必要とする応答メッセージを受信できない場合、自動的にチャンネルエレメントの予約状態を解除する。これは、チャンネルエレメントの継続的な予約状態による資源の浪費を防止するためのものである。従って、前記タイマーは、適切な値に設定されなければならない。
【００４１】
ステップ２０３で、物理階層ＰＨＹは、チャンネルエレメント予約に関する情報を前記ＲＣに知らせる。前記チャンネルエレメントの予約が不能であると、前記ＰＨＹは、“予約不可能（ｒｅｓｅｒｖａｔｉｏｎ ｕｎａｖａｉｌａｂｌｅ）”を示す信号を生成し、前記タイマーの値を設定しない。前記チャンネルエレメントが予約された場合、前記ＰＨＹは、予約完了信号（ｒｅｓｅｒｖａｔｉｏｎ ｃｏｍｐｌｅｔｅ ｓｉｇｎａｌ）を生成する。
【００４２】
ステップ２０４で、前記ＲＣは、ＰＨＹから受信された応答を前記Ｌ３へ伝送する。ステップ２０５で、前記基地局は、前記のように構成されたメッセージを前記順方向共通チャンネルを通じて前記移動局へ伝送する。このとき、前記ＤＥＳＩＧＮＡＴＥＤ＿ＭＯＤＥは、前記移動局のＥＳＮのような特定のロングコードで逆方向共通チャンネルを拡散するように命令する指示者として、前記メッセージで１に設定される。
【００４３】
ステップ２０４で、前記Ｌ３が“予約不可能”を示す信号を受信する場合、ＤＥＳＩＧＮＡＴＥＤ＿ＭＯＤＥを０に設定し、ＤＡＭ＿ＡＤＲＥＳＳ及びＲＡＴＥ＿ＷＯＲＤフィールドを省略する。このような場合、前記ＬＡＣ階層も、ＵＳＥ＿ＴＩＭＥ及びＡＣＴＩＯＮ＿ＴＩＭＥフィールドを付加しない。これは、該当する逆方向共通チャンネルが従来の逆方向チャンネルと同一な特性を有することを意味する。反面、ステップ２０４で、前記Ｌ３が予約許容信号を受信する場合、ＤＥＳＩＧＮＡＴＥＤ＿ＭＯＤＥを１に設定し、ＤＡＭ＿ＡＤＤＲＥＳＳフィールドに参照する共通電力制御チャンネルのアドレスを記録する。そして、ＲＡＴＥ＿ＷＯＲＤフィールに専用化チャンネルのデータレートに関する情報を記録する。前記ＬＡＣ階層は、ＵＳＥ＿ＴＩＭＥ及びＡＣＴＩＯＮ＿ＴＩＭＥフィールドを付加する。
【００４４】
図５は、基地局の図２のような逆方向共通チャンネルの専用化手順を示すフローチャートである。
【００４５】
図５において、ステップ５００で、順方向共通チャンネルへ伝送するメッセージが発生すると、ステップ５１１で、前記基地局は、逆方向共通チャンネルを専用化するためのメッセージであるか否かを検査する。このとき、前記メッセージが専用化要求メッセージであれば、ステップ５１３で、前記基地局は、専用化を要求する。そして、ステップ５１５で、前記基地局は、チャンネル予約が可能な状態であるか否かを検査する。チャンネル予約が可能な状態であれば、ステップ５１７で、前記基地局は、該当チャンネルを予約した後、動作時間及びＴ−ｄｅｓｉｇｎａｔｅｄを設定する。前記動作時間は、前記移動局が前記逆方向共通チャンネルを通じてメッセージを伝送する時間を示し、前記Ｔ−ｄｅｓｉｇｎａｔｅｄは、前記基地局が逆方向共通制御チャンネルを通じて前記移動局から応答メッセージを受信するために待機する時間である。その後、ステップ５１９及び５２１で、前記基地局は、表２に示した前記専用化チャンネル指示パラメータを生成する。前記パラメータは、ＤＥＳＩＧＮＡＴＥＤ＿ＭＯＤＥ、ＤＡＭ＿ＡＤＤＲＥＳＳ、及びＲＡＴＥ＿ＷＯＲＤを含む。ここで、前記逆方向共通チャンネルを専用化するために、前記基地局は、ステップ５１９で、前記逆方向共通チャンネルを専用化チャンネルとして指定するために前記ＤＥＳＩＧＮＡＴＥＤ＿ＭＯＤＥを１に設定し、前記逆方向共通チャンネルを専用化チャンネルとして指定し、前記逆方向共通制御チャンネルの送信電力及び伝送率を設定するために、前記残りのパラメータを該当する値に設定する。その後、前記３種類のパラメータは、表１のようなメッセージのうちのいずれか１つに付加され、前記順方向共通制御チャンネルを通じて前記専用化された動作時間に伝送される。
【００４６】
ステップ５１１で、前記発生したメッセージが専用化要求メッセージではないか、またはステップ５１５で、予約可能なチャンネルエレメントがない場合、ステップ５２３で、前記基地局は、前記ＤＥＳＩＧＮＡＴＥＤ＿ＭＯＤＥを０に設定し、ステップ５２５で、残りのパラメータフィールドを削除した後、前記順方向共通チャンネルを通じて前記メッセージを伝送する。
【００４７】
前記基地局は、前記順方向共通チャンネルを通じてメッセージ（移動局の応答が必要なメッセージ）を伝送した後、前記時間Ｔ−ｄｅｓｉｇｎａｔｅｄの間、前記移動局からの応答メッセージの受信を待機する。
【００４８】
図３は、本発明の第１実施形態に従って、前記基地局が前記専用化された逆方向共通チャンネルを通じて移動局から逆方向共通チャンネルに関する情報を含む前記伝送された順方向共通チャンネルメッセージに対する応答メッセージを受信する場合の基地局内での信号フローである。
【００４９】
図３を参照すると、ステップ３０１で、前記基地局のＬ３が前記専用化された逆方向共通チャンネルを通じて前記移動局から応答メッセージを受信する。もしも、前記逆方向共通チャンネルが専用化されなかった場合、事実上、前記基地局は、従来のアクセスチャンネルを通じてメッセージを受信する。
【００５０】
ステップ３０２で、前記Ｌ３は、前記移動局から応答メッセージを受信し、前記応答メッセージ（Ｄｅｇｉｇｎａｔｅｄ＿Ｍｏｄｅ＿Ｒｅｌｅａｓｅ，Ｒｅｑｕｅｓｔ）に従って、前記専用化された逆方向共通チャンネルを解除するために、その受信を前記ＲＣに通報する
【００５１】
ステップ３０３で、前記ＲＣは、前記ＰＨＹに前記逆方向共通チャンネルが前記専用化モードから解除されるべきことを通報する。そうすると、前記ＰＨＹは、特定の移動局のロングコード（例えば、ＥＳＮ）で拡散される前記専用化された逆方向共通チャンネルを復調し、前記チャンネルエレメントの予約を解除する
【００５２】
そして、ステップ３０４で、前記ＰＨＹは、チャンネルエレメントの予約が解除されたことを前記ＲＣに通報する。そうすると、前記ＲＣは、ステップ３０５で、予約状態からチャンネルエレメントが解除されたことを前記Ｌ３に通報して、前記専用化モードから前記逆方向共通チャンネルをすべて解除する。
【００５３】
前述したように、基地局と特定の移動局との間の通信を専用化された逆方向共通チャンネルを通じて遂行する場合、チャンネルエレメントを予約し、前記チャンネルエレメントの予約時間を設定する。そして、前記予約されたチャンネルエレメントが使用可能であれば、前記基地局は、専用化された動作時間で順方向共通チャンネルを通じて前記移動局へ専用化チャンネル指示パラメータを伝送する。このとき、前記専用化チャンネル指示パラメータは、逆方向共通チャンネルを通じて応答メッセージを要求する表１に示した前記順方向共通チャンネルメッセージのうちの１つに付加され、表２に示したようなＤＥＳＩＧＮＡＴＥＤ＿ＭＯＤＥ、ＤＡＭ＿ＡＤＤＲＥＳＳ、及びＲＡＴＥ＿ＷＯＲＤの前記専用化チャンネル指示パラメータを含む。このようなフィールドが設定されると、前記逆方向共通チャンネルを専用化する拡散符号が生成される。ここで、前記基地局と移動局は、前記逆方向共通チャンネルに使用される予め設定された専用のロングコードを生成するように制御する。このとき、前記拡散符号は、前記移動局のＥＳＮマスクを利用して生成されるロングコード、パブリックロングコードマスク、または、共通チャンネル専用化のための所定のロングコードになることができる。
【００５４】
表３は、前記移動局が前記専用化された逆方向共通チャンネルを通じて前記応答メッセージを伝送するとき、前記移動局のＬＡＣ階層で付加されるメッセージフィールドを示している。ここで、メッセージフィールドがＭの場合は、メッセージに常に含まれるフィールドを意味し、メッセージフィールドがＯの場合は、逆方向共通チャンネルが専用化されたときのみ省略されるフィールドを意味する。下記表３に示したメッセージは、逆方向共通チャンネルの専用化の後、前記移動局から伝送されたＬＡＣ階層のメッセージである。
【表３】
0003579029.tif 000004
【００５５】
前記表３において、前記移動局が前記逆方向共通チャンネルを通じて応答メッセージを伝送するとき、前記ＬＡＣ階層は、基本モード（Ｂａｓｉｃ Ｍｏｄｅ）下でのフィールドを付加する。前記共通チャンネルは、複数の移動局が共通に使用するチャンネルであるので、前記移動局は、前記基地局が前記移動局を認識できるように、自分のアドレスを前記基地局へ伝送しなければならない。従って、ＭＳＩＤ＿ＴＹＰＥ、ＭＳＩＤ＿ＬＥＮ、及びＭＳＩＤなどのフィールドはかならず付加されなければならない。しかし、表３に示した専用化モード（Ｄｅｓｉｇｎａｔｅｄ Ｍｏｄｅ）でのように、前記逆方向共通チャンネルが特定の移動局に専用化チャンネルとして指定されると、前記移動局を識別するためのフィールドＭＳＩＤ＿ＴＹＰＥ、ＭＳＩＤ＿ＬＥＮ、及びＭＳＩＤが不要になり、その結果、ＬＡＣ階層で付加されるフィールドの数を減少させ、伝送誤りを減少させるようになる。
【００５６】
ＭＳＧ＿ＴＹＰＥは、メッセージの伝送特性を提供する。そして、ＡＣＫ＿ＳＥＱは、応答に対するシーケンス番号である。前記基地局は、基地局の自分が伝送したメッセージの貯蔵されたシーケンス及び受信されたメッセージのシーケンスを検査することにより、メッセージ受信を確認するようになる。ＭＳＧ＿ＳＥＱは、伝送されたメッセージのシーケンスを示し、ＡＣＫ＿ＲＥＱは、現在メッセージに対する応答を要求するコマンドである。このようなフィールドが１に設定されると、前記メッセージを受信した前記基地局または移動局は、応答メッセージを伝送しなければならない。ＶＡＬＩＤ＿ＡＣＫは、確認応答（Ａｃｋｎｏｗｌｅｄｇｅｍｅｎｔ）の妥当性を示し、ＡＣＫ＿ＴＹＰＥは、確認応答の終了を示す。
【００５７】
前記表３からわかるように、逆方向共通チャンネルを専用化すると、伝送成功確率を増加させ、チャンネル間の干渉を減少させる。さらに、移動局で初期化されたメッセージ（ＭＳ−ｉｎｉｔｉａｔｅｄ ｍｅｓｓａｇｅ）の長さを減少させ、これにより、メッセージの伝送誤りを減少させることができる。
【００５８】
図４は、移動局が逆方向共通チャンネルを専用化チャンネルとして指定した後、応答メッセージを基地局へ伝送する手順での信号フローである。
【００５９】
図４を参照すると、ステップ４０１で、前記移動局は、前記順方向共通チャンネルを通じて前記基地局のメッセージを受信する。前記順方向共通チャンネルを通じて前記専用化チャンネル指示パラメータを含むメッセージを受信すると、ステップ４０１で、前記移動局のＰＨＹ階層は、前記受信されたメッセージを前記移動局のＬ３階層へ伝送する。
【００６０】
そうすると、前記Ｌ３階層は、ステップ４０２で、Ｌ３ ＳＤＵ（Ｓｅｒｖｉｃｅ Ｄａｔａ Ｕｎｉｔ）に含まれた逆方向共通チャンネル情報を認識し、前記受信されたメッセージに対する応答メッセージを発生させて前記ＬＡＣ階層へ伝送する。このとき、前記Ｌ３階層は、前記専用化された逆方向共通チャンネルを通じて応答メッセージの伝送を要求する専用化モード指示者（Ｄｅｓｉｇｎａｔｅｄ Ｍｏｄｅ ｉｎｄｉｃａｔｏｒ）をメッセージ制御状態ブロック（Ｍｅｓｓａｇｅ Ｃｏｎｔｒｏｌ Ｓｔａｔｕｓ Ｂｌｏｃｋ；ＭＣＳＢ）に表示しておく。
【００６１】
そうすると、前記ＬＡＣ階層は、Ｌ３ ＳＤＵと共に受信したＭＣＳＢを分析して前記応答メッセージが前記専用化された逆方向共通チャンネルを通じて伝送されたことを認識した後、表３に示した移動局のＩＤ関連フィールドを付加せず、ステップ４０３で、ＬＡＣ ＰＤＵ（Ｐｒｏｔｏｃｏｌ Ｄａｔａ Ｕｎｉｔ）及びＰＣＳＢ（ＰＤＵ Ｃｏｎｔｒｏｌ Ｓｔａｔｕｓ Ｂｌｏｃｋ）をＭＡＣ（Ｍｅｄｉｕｍ Ａｃｃｅｓｓ Ｃｏｎｔｒｏｌ）階層に伝送する。ここで、前記ＬＡＣ ＰＤＵは、前記移動局のＩＤ関連フィールドを除外し、前記ＰＣＳＢは、前記専用化モード指示者を含む。
【００６２】
ステップ４０４で、前記ＭＡＣ階層は、前記ＰＨＹ階層に専用化されたロングコード応答メッセージ（Ｄｅｓｉｇｎａｔｅｄ＿Ｌｏｎｇ＿Ｃｏｄｅ Ｒｅｓｐｏｎｓｅ Ｍｅｓｓａｇｅ）が固有のロングコードで拡散されるように要求する。
【００６３】
前記ＰＨＹ階層は、ＥＳＮマスクまたは前記逆方向共通チャンネルを専用化チャンネルとして指定するための特定のロングコード（Ｐｒｉｖａｔｅ Ｌｏｎｇ Ｃｏｄｅ）マスクを利用して拡散符号を生成し、ステップ４０５で、前記ＭＡＣ階層から受信されたコマンドに従って前記専用化された逆方向共通チャンネルを通じて応答メッセージを伝送する。このとき、前記移動局は、共通電力制御チャンネルを参照して応答メッセージを基地局へ伝送する。前記共通電力制御チャンネルのＩＤは、ＤＡＭ＿ＡＤＤＲＥＳＳから検出されることができ、また、前記逆方向共通チャンネルの伝送率は、前記基地局から受信されたメッセージ内のＲＡＴＥ＿ＷＯＲＤに従って設定されることができる。
【００６４】
従って、前記専用化された逆方向共通チャンネルは、専用チャンネルと類似している特徴を有する。
【００６５】
図７は、図４のような移動局の逆方向共通制御チャンネルのメッセージ伝送手順を示すフローチャートである。
【００６６】
ステップ７１１で、前記順方向共通制御チャンネルを通じてメッセージが受信されると、ステップ７１３で、前記移動局は、前記受信されたメッセージが前記専用化チャンネル指示パラメータを含むか否かを検査する。このとき、前記専用化チャンネル指示パラメータが含まれていると、ステップ７１５で、前記移動局は、前記受信されたメッセージに対する応答メッセージを形成した後、ステップ７１７で、移動局のＩＤ関連フィールドを削除する。前記移動局のＩＤ関連フィールドは、表３に示されているＭＳＩＤ＿ＴＹＰＥ、ＭＳＩＤ＿ＬＥＮ、及びＭＳＩＤなどである。この後、前記移動局は、ステップ７１９で、専用化されたロングコードマスクを要求して逆方向共通制御チャンネルを専用化するための拡散符号を生成する。このとき、前記専用化されたロングコードマスクは、ＥＳＮロングコードマスク、パブリックロングコードマスク、または基地局と移動局との間に約束された専用のロングコードマスクになることができる。前記移動局は、ステップ７２１及び７２５で、動作時間になると、前記専用化された逆方向共通制御チャンネルを通じて前記応答メッセージを伝送する。しかし、ステップ７１３で、前記受信されたメッセージが前記専用化チャンネル指示パラメータを含まないと、前記移動局は、競争を基とする共通チャンネルのロングコードを使用して前記逆方向共通制御チャンネルの拡散符号を生成し、前記逆方向共通チャンネルを通じて前記応答メッセージを伝送する。
【００６７】
前記応答メッセージを受信した後、前記基地局は、図３に示したような手順で専用化モードから前記逆方向共通制御チャンネルを解除する。図６は、図３に示した手順を示すフローチャートである。
【００６８】
図６を参照すると、ステップ６１１で、前記移動局から応答メッセージを受信すると、前記基地局は、ステップ６１３で前記受信されたメッセージを処理する。この後、ステップ６１５で、前記基地局は、前記メッセージが専用化された逆方向共通制御チャンネルを通じて受信されたメッセージであるか否かを検査する。前記専用化された逆方向共通制御チャンネルのメッセージであれば、ステップ６１７で、前記基地局は、予約されたチャンネルエレメントを解除させ、ステップ６２９及び６２１で前記タイマーＴ＿ｄｅｓｉｇｎａｔｅｄをキャンセルさせる。
【００６９】
前記専用化された逆方向共通制御チャンネルを使用している状態で、前記基地局が前記タイマーＴ−ｄｅｓｉｇｎａｔｅｄの時間内に前記移動局から応答メッセージを受信できなかったと、前記基地局は、予約されたチャンネルエレメントを解除することによって資源を復元し、他の移動局に専用化された逆方向共通チャンネルを割り当てるために予約時間（Ｔ−ｄｅｓｉｇｎａｔｅｄ）を中止させる。
【００７０】
本発明に従って、逆方向共通チャンネルを専用化するために、基地局は、拡散符号を示すロングコード情報、チャンネル伝送率、及び共通電力制御チャンネルに関する情報を含む制御メッセージを移動局へ伝送する。前記移動局は、前記逆方向共通チャンネルの固有のロングコードで使用者データを拡散し、前記専用化された逆方向共通チャンネルを通じて前記制御メッセージに対する応答メッセージを伝送する。前記逆方向共通チャンネルを専用化チャンネルとして指定することは、速い応答時間を保証し、伝送成功確率を増加させ、そして、メッセージ再伝送によるチャンネル間の干渉を減少させる。さらに、移動局のＬＡＣ階層によって付加されたフィールドの数を減少させ、これによって、伝送誤りを減少させる。
【００７１】
以下、本発明の第２実施形態に従って、基地局及び移動局が共通チャンネルを専用化する手順を説明する。
【００７２】
図８Ａは、基地局のＬＡＣ階層で逆方向共通チャンネルを専用化する情報を付加する手順を示す。
【００７３】
図８Ａを参照すると、基地局のＬＡＣ階層２（Ｌ２）で共通チャンネルを専用化する前、ステップ８０１で、前記基地局は、ＣＥを予約する。前記基地局が表１に示した使用者データトラフィック及びメッセージ（すなわち、前記移動局から応答を要求するメッセージ）の専用化された伝送を許容しようとすると、ステップ８０１で、前記Ｌ２階層は、ＣＥが予約されるように指示する。
【００７４】
前記Ｌ２階層からＣＥ予約要求を受信すると、前記ＲＣは、予約動作時間（ＣＥ＿Ｒｅｓｅｒｖｅ．Ｒｅｑｕｅｓｔ ｗｉｔｈ Ａｃｔｉｏｎ Ｔｉｍｅ）を含むＣＥ予約要求信号を前記基地局のＰＨＹ階層に伝送する。このとき、前記動作時間は、メッセージによって移動局へ伝送されることもでき、システム内で任意に設定されることもできる。また、前記動作時間は、前記移動局が前記基地局の順方向共通チャンネルメッセージを受信した後、前記基地局が前記移動局から応答メッセージを受信するまで所要される時間を考慮して適切な値に設定されるようにし、前記基地局のＬＡＣ階層または信号階層で付加される。また、前記基地局が所定の時間内に応答メッセージを受信できない場合にも、ＣＥの継続的な占有及び資源の浪費を防止するために、ＣＥの予約状態の時間（Ｔ＿ｄｅｓｉｇｎａｔｅｄ）が設定されなければならない。前記予約時間は、前記順方向共通チャンネルを通じたメッセージの伝送に必要な時間、移動局での前記順方向共通チャンネルメッセージの処理に必要な時間、及びそれ以外の関連した動作を考慮して設定されることができる。
【００７５】
ステップ８０３で、前記ＰＨＹ階層は、ＣＥの予約に関する情報を前記ＲＣに通報する。前記ＣＥの予約が不能であると、前記ＰＨＹは、“予約不可能”を示す信号を生成し、前記タイマーの値を設定しない。前記ＣＥが予約された場合は、前記ＰＨＹ階層が予約完了信号（ｒｅｓｅｒｖａｔｉｏｎ ｃｏｍｐｌｅｔｅ ｓｉｇｎａｌ）を生成する。ステップ８０４で、前記ＲＣは、前記ＰＨＹ階層から受信された応答を前記Ｌ３へ伝送する。
【００７６】
前記Ｌ３が“予約不可能”を示す信号を受信する場合、前記移動局から伝送メッセージに対する応答メッセージまたは使用者トラフィックデータを受信するために、メッセージ制御状態ブロック（ＭＣＳＢ）を通じて前記Ｌ２へ共通チャンネル専用化要求情報を伝送する。前記Ｌ３からＬ３ ＳＤＵとともにＭＣＳＢを受信すると、現在受信されたメッセージの処理方法を認識するようになり、共通チャンネルの専用化のために、次のようなフィールドをメッセージに付加する。
【００７７】
前記Ｌ２がＤＥＳＩＧＮＡＴＥＤ＿ＭＯＤＥフィールドを１に設定し、ＤＡＭ＿ＡＤＤＲＥＳＳフィールドには、移動局が参照する共通電力制御チャンネルのアドレスを記録し、ＲＡＴＥ＿ＷＯＲＤフィールドには、専用化チャンネルのデータレートを記録する。また、前記Ｌ２階層が前記メッセージに動作時間を付加すると、ＵＳＥ＿ＴＩＭＥ及びＡＣＴＩＯＮ＿ＴＩＭＥを設定する。前記動作時間は、前記Ｌ３階層でも付加されることができる。
【００７８】
もしも、前記ＭＣＳＢに共通チャンネルの専用化のための指示がないと、前記Ｌ２階層は、ＤＥＳＩＧＮＡＴＥＤ＿ＭＯＤＥフィールドを０に設定し、前記ＤＡＭ＿ＡＤＲＥＳＳ及びＲＡＴＥ＿ＷＯＲＤフィールドを含めない。このとき、前記Ｌ２階層またはＬ３階層でもＵＳＥ＿ＴＩＭＥ及びＡＣＴＩＯＮ＿ＴＩＭＥが付加されない。これは、前記逆方向共通チャンネルが従来の逆方向共通チャンネルと同一な特性を有することを意味する。
【００７９】
このように構成されたメッセージは、ステップ８０５で、順方向共通チャンネルを通じて前記移動局へ伝送される。このとき、前記伝送されるメッセージでＤＥＳＩＧＮＡＴＥＤ＿ＭＯＤＥが１に設定されることは、前記移動局が特定のロングコードで前記逆方向共通チャンネルを拡散すべきであることを意味し、前記ロングコードは、前記移動局の固有なコードが利用できる。
【００８０】
図８Ｂは、図８Ａの動作と類似しているが、Ｌ２階層がＣＥの予約を遂行するときの基地局の動作を示す。図８Ｂを参照すると、ステップ８１０で、前記Ｌ３階層は、ＳＤＵとともにＡＣＫ＿ＲＥＱの設定を要求するコマンドを含むＭＣＳＢを前記Ｌ２階層へ伝送する。もしも、前記受信されたＭＣＳＢがＡＣＫ＿ＲＥＱの設定を要求するコマンドを含むと、ステップ８１１で、前記Ｌ２階層は、前記ＲＣにＤｅｓｉｇｎａｔｅｄ＿Ｍｏｄｅ．Ｒｅｑｕｅｓｔを伝送して前記ＣＥの予約を指示する。ステップ８１２で、前記ＲＣは、現在移動局のＭＡＣ状態を確認した後、ＣＥ＿Ｒｅｓｅｒｖｅ．ＲｅｑｕｅｓｔをＰＨＹ階層へ伝送する。このとき、前記基地局が前記移動局のＥＳＮを知っていると（例えば、サスペンデッド状態）、ＥＳＮを基としたロングコードマスク（ＥＳＮ ｂａｓｅｄ ｌｏｎｇ ｃｏｄｅ ｍａｓｋ）を指定する。そうでない場合には、スケジューリングされたＲ−ＣＣＣＨロングコードマスクを指定する。また、前記基地局は、前記移動局のメッセージ伝送時間に同期化するための動作時間を設定する。前記動作時間は、共通チャンネル専用化要求メッセージまたは（エンハンスト；ｅｎｈａｎｃｅｄ）アクセスパラメータメッセージを通じて伝送された以前の動作時間値を利用して設定されることができる。ステップ８１３で、前記ＰＨＹ階層は、前記ＲＣにＣＥの予約に関する情報を通報する。ステップ８１４で、前記ＲＣは、共通チャンネルの専用化が成功するか否かに関する情報を前記Ｌ２階層に伝送する。共通チャンネルの専用化が成功すると、前記ＲＣは、前記Ｌ２に専用化されたロングコードマスクタイプを知らせる。ステップ８０６で、前記Ｌ２階層は、共通チャンネルの専用化に関連したフィールドを設定して、それを伝送メッセージに付加する。そして、ステップ８０７で、Ｆ−ＣＣＣＨを通じて前記メッセージを伝送する。
【００８１】
前記Ｌ３が“予約不可能”を示す信号を受信する場合、前記移動局から伝送メッセージに対する応答メッセージまたは使用者トラフィックデータを受信するために、メッセージ制御状態ブロック（ＭＣＳＢ）を通じて前記Ｌ２へ共通チャンネル専用化要求情報を伝送する。前記Ｌ３からＬ３ ＳＤＵとともにＭＣＳＢを受信すると、現在受信されたメッセージの処理方法を認識するようになり、共通チャンネルの専用化のために、次のようなフィールドをメッセージに付加する。
【００８２】
前記Ｌ２がＤＥＳＩＧＮＡＴＥＤ＿ＭＯＤＥフィールドを１に設定し、ＤＡＭ＿ＡＤＤＲＥＳＳフィールドには、移動局が参照する共通電力制御チャンネルのアドレスを記録し、ＲＡＴＥ＿ＷＯＲＤフィールドには、設定されたチャンネルのデータレートを記録する。また、前記Ｌ２階層が前記メッセージに動作時間を付加すると、ＵＳＥ＿ＴＩＭＥ及びＡＣＴＩＯＮ＿ＴＩＭＥを設定する。前記動作時間は、前記Ｌ３階層でも付加されることができる。
【００８３】
もしも、前記ＭＣＳＢに共通チャンネルの専用化のための指示がないと、前記Ｌ２階層は、ＤＥＳＩＧＮＡＴＥＤ＿ＭＯＤＥフィールドを０に設定し、前記ＤＡＭ＿ＡＤＲＥＳＳ及びＲＡＴＥ＿ＷＯＲＤフィールドを含めない。このとき、前記Ｌ２階層またはＬ３階層でもＵＳＥ＿ＴＩＭＥ及びＡＣＴＩＯＮ＿ＴＩＭＥが付加されない。これは、前記逆方向共通チャンネルが従来の逆方向共通チャンネルと同一な特性を有することを意味する。
【００８４】
このように構成されたメッセージは、ステップ８０５で、順方向共通チャンネルを通じて前記移動局へ伝送される。このとき、前記伝送されるメッセージでＤＥＳＩＧＮＡＴＥＤ＿ＭＯＤＥが１に設定されることは、前記移動局が特定のロングコードで前記逆方向共通チャンネルを拡散すべきであることを意味し、前記ロングコードは、前記移動局の固有なコードが利用できる。
【００８５】
図９Ａは、本発明の第２実施形態に従って、基地局が専用化された逆方向共通チャンネルを通じて移動局から伝送された順方向共通チャンネルメッセージに対する応答メッセージまたは使用者データトラフィックを受信したときの基地局の動作を示す。
【００８６】
図９Ａを参照すると、ステップ９０１で、前記基地局は、前記専用化された逆方向共通チャンネルを通じて前記移動局から応答メッセージを受信する。もしも、前記逆方向共通チャンネルが専用化されなかった場合、事実上、前記基地局は、従来のアクセスチャンネルを通じてメッセージを受信する。
【００８７】
ステップ９０２で、前記Ｌ３階層が応答を要求する伝送されたメッセージに対する応答メッセージまたは使用者トラフィックデータを受信したとき、前記Ｌ３階層は、逆方向共通チャンネルの専用化時間が終了したことを前記ＲＣに通報する。
【００８８】
ステップ９０３で、前記ＲＣは、前記ＰＨＹ階層に前記逆方向共通チャンネルが専用化モードから解除されるべきことを通報する。そうすると、前記ＰＨＹ階層は、特定の移動局のロングコード（例えば、ＥＳＮ）で拡散される前記専用化された逆方向共通チャンネルを復調し、前記チャンネルエレメントの予約を解除する。
【００８９】
そして、ステップ９０４で、前記ＰＨＹ階層は、ＣＥの予約が解除されたことを前記ＲＣに通報する。そうすると、前記ＲＣは、ステップ９０５で、予約状態からＣＥが解除されたことを通報して専用化モードから逆方向共通チャンネルをすべて解除する。
【００９０】
図９Ｂは、図９Ａに示した手順とは異なり、基地局のＬＡＣ階層で専用化モードから逆方向共通チャンネルの解除を遂行する手順を示す。ステップ９１０で、専用化されたＲ−ＣＣＣＨを通じてメッセージが受信される。ステップ９１１で、前記Ｌ２階層は、前記受信されたメッセージのＡＣＫ＿ＳＥＱを処理した後、前記メッセージがＤＡＭ（Ｄｅｓｉｇｎａｔｅｄ Ａｃｃｅｓｓ Ｍｏｄｅ）を要求するメッセージに対する応答であるか否かを判断し、前記メッセージが応答メッセージである場合、前記ＲＣにＤＡＭ解除要求を伝送する。ステップ９１２で、前記ＲＣは、ＣＥの解除を要求する。ステップ９１３で、前記ＰＨＹ階層は、予約された状態からＣＥを解除し、前記ＲＣにその結果を通報する。ステップ９１４で、前記ＲＣは、前記Ｌ２階層にＤＡＭが解除されたことを通報する。
【００９１】
図１０は、移動局で逆方向共通チャンネルの専用化を要求する情報を含むメッセージを処理し、基地局へ前記受信されたメッセージに対する応答メッセージを伝送する手順を示す。
【００９２】
図１０を参照すると、ステップ１００１で、前記移動局は、前記基地局から順方向共通チャンネルを通じてメッセージを受信する。
【００９３】
そうすると、前記移動局のＬ２階層が、前記受信されたメッセージが逆方向共通チャンネルの専用化を要求するフィールドを有していることを認識して、前記受信されたメッセージのＬＡＣ階層に関連したフィールドのないＬ３ ＳＤＵと共にＰＣＳＢ（ＰＤＵ制御状態ブロック）で前記専用化された逆方向共通チャンネルを通じて応答メッセージの伝送を要求する専用化モード指示者を前記Ｌ３階層に配置する。ステップ１００３で、前記Ｌ３階層は、Ｌ３ ＳＤＵと前記専用化された逆方向共通チャンネルを通じて応答メッセージの伝送を要求する情報を含むＭＣＳＢとを前記Ｌ２階層へ伝送する。
【００９４】
前記Ｌ２階層は、Ｌ３ ＳＤＵとともに受信されたＭＣＳＢを分析した後、現在受信されたメッセージが前記専用化された逆方向専用化チャンネルを通じて伝送されることを認識し、前記表３に示したように移動局のＩＤ関連したフィールドを付加しない。そして、ステップ１００４で、前記移動局のＭＡＣ階層にＬ２ ＰＤＵ及びＰＣＳＢを伝送する。ここで、Ｌ２ ＰＤＵは、前記移動局のＩＤ関連したフィールドを除外し、ＰＣＳＢは、専用化モード指示者を含む。前記ＭＡＣ階層は、ステップ１００５で、固有のロングコードで拡散される現在伝送メッセージを要求する信号を前記ＰＨＹ階層へ伝送する。
【００９５】
ステップ１００６で、前記ＰＨＹ階層は、ＥＳＮマスク、特定のロングコードマスク、または専用化されたロングコードマスクを利用して前記逆方向共通チャンネルを拡散し、前記専用化された逆方向共通チャンネルを通じて応答メッセージまたは使用者トラフィックデータを伝送する。このとき、前記移動局は、共通電力制御チャンネルを参照して前記メッセージを前記基地局へ伝送する。前記共通電力制御チャンネルのＩＤは、ＤＡＭ＿ＡＤＤＲＥＳＳから検出されることができ、また、前記逆方向共通チャンネルの伝送率は、前記基地局から受信されたメッセージ内のＲＡＴＥ＿ＷＯＲＤに従って設定されることができる。前記基地局から受信したメッセージが動作時間を指定すると、前記移動局は、前記専用化された動作時間に前記応答メッセージまたは使用者トラフィックデータを前記基地局へ伝送する。しかし、システムがＣＥの動作時間を特定の値に設定する場合、前記移動局は、動作時間が認識できず、従って、任意の時間に前記メッセージを伝送する。
【００９６】
従って、逆方向共通チャンネル信号は、移動局の固有のロングコードまたは前記基地局によって専用化された特定の拡散符号で拡散される。結果的に、前記専用化された逆方向共通チャンネルは、専用チャンネルと類似している特徴を有する。
【００９７】
以下、本発明の第３実施形態に従って、基地局及び移動局が共通チャンネルを専用化する動作を説明する。
【００９８】
図１１は、本発明の好適な第３実施形態に従って共通チャンネルの専用化のための基地局の伝送手順を示す。
【００９９】
ステップ１１００で、Ｌ３階層はＬ３ ＳＤＵを生成し、前記Ｌ３ ＳＤＵ及び共通チャンネルの専用化を要求できる前記生成されたメッセージを示すＭＣＳＢをＬ２階層へ伝送する。ステップ１１０１で、前記Ｌ２階層は、前記受信されたＬ３ ＳＤＵが前記ＭＣＳＢを処理することによって共通チャンネルの専用化を要求するか否かを判断し、前記Ｌ３ ＳＤＵにＬ２階層によって生成されたフィールドを付加することによってＬ２ ＰＤＵを生成する。そして、Ｌ２ ＳＤＵ及び共通チャンネルの専用化を要求するメッセージを示すＰＣＳＢを前記ＭＡＣ階層へ伝送する。このとき、前記Ｌ２階層は、メッセージのＡＣＫ＿ＲＥＱフィールドを１に設定して、前記移動局から応答を要求するメッセージであることを表示する。
【０１００】
ステップ１１０２で、前記ＭＡＣ階層は、現在メッセージが前記ＰＣＳＢを解読して共通チャンネルの専用化を要求するメッセージであることを把握すると、前記ＲＣにＤｅｓｉｇｎａｔｅｄ＿Ｍｏｄｅ．Ｒｅｑｕｅｓｔ命令を伝送して前記ＰＨＹ階層のＣＥを予約する。ステップ１１０３で、前記ＲＣは、動作時間とともにＣＥ＿Ｒｅｓｅｒｖｅ．ＲｅｑｕｅｓｔをＰＨＹ階層へ伝送する。このとき、前記動作時間は、基地局と移動局との間で約束されることができ、または、基地局によって設定されることができる。そうすると、メッセージを通じて前記移動局へ通報される。また、ロングコードマスクタイプは、共通チャンネルの専用化のとき使用されるために移動局へ伝送される。ステップ１１０４で、前記ＰＨＹ階層は、ＣＥの予約状態に関する情報を前記ＲＣへ伝送する。
【０１０１】
ステップ１１０５で、前記ＲＣは、前記ＰＨＹ階層のＣＥが成功的に予約されたか否かをＭＡＣ階層に通報し、また共通チャンネルの専用化のとき移動局で使用されるロングコードマスクをＭＡＣ階層に通報する。ステップ１１０６で、前記ＭＡＣ階層は、前記ＣＥが成功的に予約されたことを確認した後、共通チャンネルの専用化のために必要なフィールド（すなわち、ＤＥＳＩＧＮＡＴＥＤ＿ＭＯＤＥ、ＤＡＭ＿ＡＤＤＲＥＳＳ、及びＲＡＴＥ＿ＷＯＲＤ）を形成し、それをＬ２ ＰＤＵに付加する。ステップ１１０７で、前記基地局は、共通チャンネルの専用化情報を含むメッセージを順方向共通チャンネルであるＦ−ＣＣＣＨを通じて前記移動局へ伝送する。
【０１０２】
図１２は、本発明の第３実施形態に従って、共通チャンネルの専用化のための基地局の受信手順を示す。
【０１０３】
図１２を参照すると、ステップ１２０１で、前記基地局は、専用化されたＲ−ＣＣＣＨを通じて自分が伝送したメッセージに対する応答メッセージを受信する。ステップ１２０２で、前記ＭＡＣ階層は、現在受信されたメッセージが前記専用化された共通チャンネルを通じて受信されたことを確認した後、Ｌ２ ＰＤＵ及びＰＣＳＢを形成し、それをＬ２階層へ伝送する。また、ステップ１２０２で、前記ＭＡＣ階層は、Ｄｅｓｉｇｎａｔｅｄ＿Ｍｏｄｅ＿Ｒｅｌｅａｓｅ．Ｒｅｑｅｕｓｔを前記ＲＣへ伝送して専用化モードから共通チャンネルの解除を要求する。ステップ１２０５で、前記ＲＣは、ＣＥ＿Ｒｅｌｅａｓｅ．Ｒｅｑｕｅｓｔを前記ＰＨＹ階層へ伝送して予約状態から前記ＣＥの解除を要求する。従って、前記共通チャンネルの専用化のために指定されたすべての資源を解除する。
【０１０４】
図１３は、本発明の第３実施形態に従って、共通チャンネルの専用化のための移動局の逆方向共通チャンネルの処理手順を示す。
【０１０５】
ステップ１３００で、前記移動局のＭＡＣ階層は、前記基地局からメッセージを受信し、前記受信されたメッセージが共通チャンネルの専用化を要求するメッセージであるか否かを判断する。
【０１０６】
ステップ１３０１で、前記ＭＡＣ階層は、前記受信されたメッセージが共通チャンネルの専用化を要求するメッセージであることを確認した後、ＰＨＹ階層に共通チャンネルの専用化のために使用されるロングコードマスクへの転換を要求する。また、前記ＭＡＣ階層は、Ｌ２ ＰＤＵと共通チャンネルの専用化を要求する情報を含むＰＣＳＢとを前記Ｌ２階層へ伝送する。ステップ１３０２で、前記Ｌ２階層は、ＰＣＳＢを分析した後、Ｌ３ ＳＤＵと共通チャンネルの専用化を表示する情報を有するＭＣＳＢとを前記Ｌ３階層へ伝送する。ステップ１３０３で、前記Ｌ３階層は、前記Ｌ３ ＳＤＵ及びＭＣＳＢを前記Ｌ２階層へ伝送する。ステップ１３０４で、前記Ｌ２階層は、Ｌ２ ＰＤＵ及びＰＣＳＢを前記ＭＡＣ階層へ伝送する。
【０１０７】
ステップ１３０５で、前記ＭＡＣ階層は、前記Ｌ２ ＰＤＵから変換されたメッセージを形成した後、前記メッセージを前記ＰＨＹ階層へ伝送する。ステップ１３０６で、前記ＰＨＹ階層は、専用化されたロングコードマスクを利用して前記受信されたメッセージを拡散し、前記拡散されたメッセージをＲ−ＣＣＣＨを通じて伝送する。このとき、前記移動局は、基地局と約束された動作時間にメッセージの伝送を開始し、前記基地局によって指定された共通電力制御チャンネルを利用して前記メッセージの伝送電力を制御する。
【０１０８】
前述の如く、本発明の詳細な説明では具体的な実施形態を参照して詳細に説明してきたが、本発明の範囲は前記実施形態によって限られるべきではなく、本発明の範囲内で様々な変形が可能であることは、当該技術分野における通常の知識を持つ者には明らかである。
【図面の簡単な説明】
【図１】本発明の実施形態に従う逆方向共通チャンネルを専用化チャンネルとして指定する基本的な手順での信号フローである。
【図２】本発明の第１実施形態に従う逆方向共通チャンネルの専用化のための基地局のメッセージ伝送手順での信号フローである。
【図３】本発明の第１実施形態に従う専用化モードから前記逆方向共通チャンネルを解除する基地局のメッセージ受信手順での信号フローである。
【図４】本発明の第１実施形態に従う逆方向共通チャンネルを専用化チャンネルとして指定するために、移動局の信号階層でメッセージの受信から応答メッセージの伝送までの手順を示すフローチャートである。
【図５】本発明の第１実施形態に従う図２に示した基地局のメッセージ伝送手順を示すフローチャートである。
【図６】本発明の第１実施形態に従う図３に示した基地局のメッセージ受信手順を示すフローチャートである。
【図７】本発明の第１実施形態に従う図４に示した移動局の応答メッセージ生成手順を示すフローチャートである。
【図８】図８Ａは、本発明の第２実施形態に従う基地局の信号階層（Ｌ３）が予約された状態からチャンネルエレメント（ＣＥ）を要求する場合、基地局のＬＡＣ階層で逆方向共通チャンネル専用化のための基地局のメッセージ伝送手順を示す図である。図８Ｂは、本発明の第２実施形態に従う基地局のＬＡＣ階層が予約された状態からチャンネルエレメント（ＣＥ）を要求する場合、前記基地局のＬＡＣ階層で逆方向共通チャンネル専用化のための基地局のメッセージ伝送手順を示す図である。
【図９】図９Ａは、本発明の第２実施形態に従う前記信号階層（Ｌ３）が予約された状態から前記チャンネルエレメントの解除を要求する場合、前記基地局のＬＡＣ階層で逆方向共通チャンネル専用化のための基地局のメッセージ受信手順を示す図である。図９Ｂは、本発明の第２実施形態に従う前記基地局のＬＡＣ階層が予約された状態から前記チャンネルエレメントの解除を要求する場合、前記基地局のＬＡＣ階層で逆方向共通チャンネル専用化のための基地局のメッセージ受信手順を示す図である。
【図１０】本発明の第２実施形態に従う逆方向共通チャンネルの専用化のための移動局のメッセージ伝送及び受信手順を示す図である。
【図１１】本発明の第３実施形態に従う基地局のＭＡＣ階層で逆方向共通チャンネルの専用化のための基地局の伝送手順を示す図である。
【図１２】本発明の第３実施形態に従う基地局のＭＡＣ階層で逆方向共通チャンネルの専用化のための基地局の受信手順を示す図である。
【図１３】本発明の第３実施形態に従う移動局のＭＡＣ階層で専用化された逆方向共通チャンネルを通じた信号通信手順を示す図である。
【符号の説明】
Ｌ３，ＬＡＣ，ＭＡＣ  信号階層
ＰＨＹ  物理階層
ＲＣ  リソースコントローラ
【図１】
0003579029.tif 000005
【図２】
0003579029.tif 000006
【図３】
0003579029.tif 000007
【図４】
0003579029.tif 000008
【図５】
0003579029.tif 000009
【図６】
0003579029.tif 000010
【図７】
0003579029.tif 000011
【図８Ａ】
0003579029.tif 000012
【図８Ｂ】
0003579029.tif 000013
【図９Ａ】
0003579029.tif 000014
【図９Ｂ】
0003579029.tif 000015
【図１０】
0003579029.tif 000016
【図１１】
0003579029.tif 000017
【図１２】
0003579029.tif 000018
【図１３】
0003579029.tif 000019